(57)【要約】【課題】剛性を抑制して風合いを保ち、かつＸ線撮影時に容易に確認できるガーゼを提供する。【解決手段】経糸２と緯糸３とを交互に交差させてガーゼ本体４を平織りする。経糸２に沿って２本のＸ線造影糸５を互いに平行に配設するため、製造が容易になる。Ｘ線造影糸５を太くしたり、Ｘ線造影糸５が含むＸ線造影剤の量を増やしたりすることなく、Ｘ線撮影時に容易にＸ線造影糸５を確認できる。ガーゼ１の剛性を抑制しＸ線造影糸５の強度の低下を防止してガーゼ１の風合いを保つことができる。【選択図】        図１
2004194994.tif 000002
【特許請求の範囲】
【請求項１】
経糸と緯糸とが交互に交差して縦方向両端縁および横方向両側縁を有する形状に平織りされたガーゼ本体と、
このガーゼ本体に、縦方向および横方向の少なくともいずれか一方向に沿って互いに略平行に配設された複数のＸ線造影部材と
を具備したことを特徴としたガーゼ。
【請求項２】
縦方向両端縁および横方向両側縁を有する形状に不織布にて形成されたガーゼ本体と、
このガーゼ本体に、縦方向および横方向の少なくともいずれか一方向に沿って互いに略平行に配設された複数のＸ線造影部材と
を具備したことを特徴としたガーゼ。
【請求項３】
Ｘ線造影部材は、Ｘ線造影剤と樹脂とを備え、ガーゼ本体に圧着された
ことを特徴とした請求項１または２記載のガーゼ。
【請求項４】
Ｘ線造影部材は、Ｘ線造影剤と溶剤とを備え、ガーゼ本体に塗布された
ことを特徴とした請求項１または２記載のガーゼ。
【発明の詳細な説明】
【０００１】
【発明の属する技術分野】
本発明は、Ｘ線造影部材を備えたガーゼに関する。
【０００２】
【従来の技術】
一般に、外科手術などにおいては、被手術者の血液あるいは体液などを吸収するために、ガーゼが使用されている。この種のガーゼは、手術終了後に被手術者の体内から取り除かれるものであるが、被手術者の血液に染まってしまうことで被手術者の臓器との区別が困難になり、被手術者の体内に残留させたままの状態で誤って縫合するおそれがある。
【０００３】
このため、手術終了後に被手術者の被手術部分をＸ線撮影することでガーゼの被手術者の体内への取り残しの有無を確認できるように、Ｘ線造影糸が配設されたガーゼが使用されている。
【０００４】
そして、従来、この種の織布ガーゼ、あるいは不織布ガーゼは、ガーゼ１枚につき１本のＸ線造影糸が配設されている。
【０００５】
さらに、この種のガーゼとしては、木綿の経糸および緯糸を交互に交差させて平織りしたガーゼ本体を備え、このガーゼ本体に、１本のＸ線造影糸と１本の織り糸とが互いにもじれながら例えば緯糸に織り込まれて、経糸と略平行なもじり組織が形成された構成が知られている。この結果、このガーゼは、Ｘ線造影糸をガーゼ本体から抜けにくくし、Ｘ線撮影の際のガーゼの確認を容易にしている（例えば、特許文献１参照。）。
【０００６】
【特許文献１】
特開２００２−１４３２１２号公報（第２頁、図１）
【０００７】
【発明が解決しようとする課題】
しかしながら、上述のガーゼでは、Ｘ線造影糸をガーゼ本体に織り込んだことでＸ線造影糸のガーゼ本体からの抜け落ちは防止できるが、Ｘ線造影糸が１本しかないため、ガーゼが被手術者の複雑な骨格部分に隠れた場合、あるいは石灰化した臓器と重なった場合などに、Ｘ線撮影での鮮明度が低下し、確認が容易でなくなるおそれがある。
【０００８】
また、大きさが小さいガーゼを使用した場合には、Ｘ線造影糸自体も短くなり、Ｘ線撮影での確認が容易でない。
【０００９】
さらに、Ｘ線造影糸を太くすることでＸ線撮影時の鮮明度を向上する構成も考えられるが、Ｘ線造影糸の剛性が大きくなることでガーゼの剛性が大きくなり、被手術者の臓器を傷つけるおそれがある。
【００１０】
そして、Ｘ線造影糸に混入されるＸ線造影剤の濃度を大きくすることでＸ線撮影時の鮮明度を向上する構成も考えられるが、Ｘ線造影剤の濃度を大きくすると、Ｘ線造影糸を構成する樹脂が脆くなって切れたり、糸状に形成しにくかったりする。
【００１１】
本発明はこのような点に鑑みなされたもので、剛性を抑制して風合いを保ち、かつＸ線撮影時に容易に確認できるガーゼを提供することを目的とする。
【００１２】
【課題を解決するための手段】
請求項１記載のガーゼは、経糸と緯糸とが交互に交差して縦方向両端縁および横方向両側縁を有する形状に平織りされたガーゼ本体と、このガーゼ本体に、縦方向および横方向の少なくともいずれか一方向に沿って互いに略平行に配設された複数のＸ線造影部材とを具備したものである。
【００１３】
そして、経糸と緯糸とを交互に交差させて平織りしたガーゼ本体に、縦方向および横方向の少なくともいずれか一方向に沿って複数のＸ線造影部材を互いに平行に配設したので、製造が容易になるとともに、例えばＸ線造影部材を太くしたり、Ｘ線造影部材に含まれるＸ線造影剤の量を増やしたりすることなく、Ｘ線撮影時に容易にＸ線造影部材を確認できるとともに、ガーゼの剛性を抑制しＸ線造影部材の強度の低下を防止してガーゼの風合いを保つことが可能になる。
【００１４】
請求項２記載のガーゼは、縦方向両端縁および横方向両側縁を有する形状に不織布にて形成されたガーゼ本体と、このガーゼ本体に、縦方向および横方向の少なくともいずれか一方向に沿って互いに略平行に配設された複数のＸ線造影部材とを具備したものである。
【００１５】
そして、不織布にて形成されたガーゼ本体に複数のＸ線造影部材をガーゼ本体に配設したので、製造が容易になるとともに、例えばＸ線造影部材を太くしたり、Ｘ線造影部材の含まれるＸ線造影剤の量を増やしたりすることなく、Ｘ線撮影時に容易にＸ線造影部材を確認できるとともに、ガーゼの剛性を抑制しＸ線造影部材の強度の低下を防止してガーゼの風合いを保つことが可能になる。
【００１６】
請求項３記載のガーゼは、請求項１または２記載のガーゼにおいて、Ｘ線造影部材は、Ｘ線造影剤と樹脂とを備え、ガーゼ本体に圧着されたものである。
【００１７】
そして、Ｘ線造影部材をガーゼ本体に圧着することにより、例えばＸ線造影部材をガーゼ本体に織り込んだり挟んだりする場合と比較して製造が容易になるとともに、Ｘ線造影部材を必要な長さだけ配設することが可能となり、製造コストが抑制される。
【００１８】
請求項４記載のガーゼは、請求項１または２記載のガーゼにおいて、Ｘ線造影部材は、Ｘ線造影剤と溶剤とを備え、ガーゼ本体に塗布されたものである。
【００１９】
そして、Ｘ線造影部材をＸ線造影剤と溶剤にて構成してガーゼ本体に塗布することにより、例えばＸ線造影部材をガーゼ本体に織り込んだり挟んだりする場合と比較して製造が容易になるとともに、Ｘ線造影部材を必要量だけ配設することが可能となり、製造コストが抑制される。また、例えば糸状のＸ線造影部材をガーゼ本体に挿入する場合と比較してガーゼ本体の剛性を抑制できるので、風合いが向上する。
【００２０】
【発明の実施の形態】
以下、本発明のガーゼの一実施の形態を図１を参照して説明する。
【００２１】
図１において、１はガーゼであり、このガーゼ１は、経糸２および緯糸３が交互に交差して平織りされ縦方向両端縁および横方向両側縁を有する形状である略矩形状の平組織を備えたガーゼ本体４を有している。
【００２２】
ここで、経糸２および緯糸３は、例えば木綿、レーヨンなどのセルロース繊維、あるいはセルロール繊維とポリプロピレン、ポリエステルなどのプラスチック繊維との混合体である。
【００２３】
そして、ガーゼ本体４には、Ｘ線造影部材としての複数、例えば２本のＸ線造影糸５が、離間されて経糸２に互いに平行に織り込まれて配設されている。
【００２４】
このＸ線造影糸５は、例えばポリ塩化ビニル、ポリプロピレン、ポリエステル、ポリエチレン、ポリスチレン、および、シリコーンなどにて成形された繊維状樹脂に、例えば６０％程度の硫酸バリウムが混合されて製糸されたものである。また、Ｘ線造影糸５は、その特性上、経糸２および緯糸３より太くかつ可撓性が低い。このため、織り込まれたＸ線造影糸５は略直線状となっている。
【００２５】
また、Ｘ線造影糸５同士の間隔は、２〜３０mm程度が好ましい。
【００２６】
上述したように、上記一実施の形態によれば、経糸２と緯糸３とを交互に交差させて平織りしたガーゼ本体４に、縦方向に沿って複数のＸ線造影糸５を互いに平行に配設したので、例えばＸ線造影糸５を太くしたり、Ｘ線造影糸５に含まれるＸ線造影剤の量を増やしたりすることなく、Ｘ線撮影時に容易にＸ線造影糸５を確認できるとともに、ガーゼ１の剛性を抑制しＸ線造影糸５の強度の低下を防止してガーゼ１の風合いを保つことができる。
【００２７】
また、Ｘ線造影糸５同士の間隔を２〜３０mm程度とすることにより、手術終了後の被手術者の被手術部分のＸ線撮影時に、比較的狭い範囲内で２本のＸ線造影糸５が撮影されるため、被手術者の体内にガーゼ１の取り残しがあった際に、ガーゼ１を容易に確認できる。
【００２８】
さらに、Ｘ線造影糸５同士が接していないので、これらＸ線造影糸５の間にガーゼ１を構成する経糸２および緯糸３が存在することで、Ｘ線造影糸５のガーゼ本体４からの抜けを防止できる。
【００２９】
そして、Ｘ線造影糸５同士の間隔が広すぎると、Ｘ線撮影時に何枚分のガーゼ１が被手術者の体内にあるのかを確認することが容易でないが、Ｘ線造影糸５同士の間隔を２〜３０mm程度とすることで、Ｘ線撮影時に被手術者の体内に取り残したガーゼ１の枚数を容易に確認できる。
【００３０】
また、２本のＸ線造影糸５を経糸２に平行に配設したことにより、Ｘ線造影糸５を経糸２および緯糸３の方向に関係なく配設した場合よりも、ガーゼ１をより容易に製造できる。
【００３１】
なお、上記一実施の形態において、各Ｘ線造影糸５は、図２に示すように、緯糸３に平行に配設してもよく、また、図３に示すように、経糸２および緯糸３のそれぞれに平行に複数本ずつ配設してもよい。この場合も、上記一実施の形態と同様の作用効果を奏することができる。
【００３２】
また、Ｘ線造影糸５を構成する繊維状樹脂を、例えばポリ塩化ビニル、ポリプロピレン、ポリエチレン、ポリスチレンなどの熱可塑性樹脂とし、Ｘ線造影糸５をガーゼ本体４に熱溶融圧着する構成も可能である。この方法としては、例えばＸ線造影剤を混入させた熱可塑性樹脂を溶融し、ノズルからガーゼ本体１上に押し出しながら配設してロールにより圧着する方法、あるいはすでに糸状に形成したＸ線造影糸５をガーゼ本体４上に配設して、熱ロールにより圧着する方法などが可能である。
【００３３】
この場合には、例えばＸ線造影糸５をガーゼ本体４に織り込んだり挟んだりする場合と比較して、容易に製造できるとともに、連続したＸ線造影糸５を投入する必要がなく必要な長さだけガーゼ本体４に配設でき、製造コストを抑制できる。
【００３４】
さらに、Ｘ線造影部材を、Ｘ線造影剤と、ベンゼンあるいはトルエンなどの石油系有機溶剤とで構成し、ガーゼ本体４に塗布する構成も可能である。この場合には、Ｘ線造影部材をガーゼ本体４に織り込んだり挟んだりする場合と比較して容易に製造できるとともに、Ｘ線造影部材を必要量だけガーゼ本体４に配設でき、製造コストを抑制できる。また、例えば糸状のＸ線造影部材をガーゼ本体４に挿入する場合と比較して、ガーゼ本体４の剛性を抑制できるので、風合いを向上できる。
【００３５】
そして、ガーゼ本体４は、図４に示すように、不織布にて形成してもよい。このとき、各Ｘ線造影糸５は、図４に示すガーゼ本体４の縦方向、あるいはガーゼ本体４の横方向、あるいは横方向および縦方向にそれぞれ沿って不織布の間に挟みこむように配設する。この場合には、Ｘ線造影糸５をガーゼ本体４に織り込む必要がなく、ガーゼ１を、より容易に製造できる。
【００３６】
また、Ｘ線造影糸５は２本以上の任意の本数に設定できるが、本数が多すぎるとガーゼ１の剛性が大きくなるので、好ましくは２〜４本として、ガーゼ１の剛性を大きくしないようにする。
【００３７】
【発明の効果】
請求項１記載のガーゼによれば、経糸と緯糸とを交互に交差させて平織りしたガーゼ本体に、縦方向および横方向の少なくともいずれか一方向に沿って複数のＸ線造影部材を互いに平行に配設したので、容易に製造できるとともに、Ｘ線造影部材を太くしたり、Ｘ線造影部材に含まれるＸ線造影剤の量を増やしたりすることなく、Ｘ線撮影時に容易にＸ線造影部材を確認できるとともに、ガーゼの剛性を抑制しＸ線造影部材の強度の低下を防止してガーゼの風合いを保つことができる。
【００３８】
請求項２記載のガーゼによれば、不織布にて形成されたガーゼ本体に複数のＸ線造影部材をガーゼ本体に配設したので、容易に製造できるとともに、Ｘ線造影部材を太くしたり、Ｘ線造影部材の含まれるＸ線造影剤の量を増やしたりすることなく、Ｘ線撮影時に容易にＸ線造影部材を確認できるとともに、ガーゼの剛性を抑制しＸ線造影部材の強度の低下を防止してガーゼの風合いを保つことができる。
【００３９】
請求項３記載のガーゼによれば、Ｘ線造影部材をガーゼ本体に圧着することにより、Ｘ線造影部材をガーゼ本体に織り込んだり挟んだりする場合と比較して容易に製造できるとともに、Ｘ線造影部材を必要な長さだけ配設でき、製造コストを抑制できる。
【００４０】
請求項４記載のガーゼによれば、Ｘ線造影部材をＸ線造影剤と溶剤にて構成してガーゼ本体に塗布することにより、例えばＸ線造影部材をガーゼ本体に織り込んだり挟んだりする場合と比較して容易に製造できるとともに、Ｘ線造影部材を必要量だけ配設でき、製造コストを抑制できる。また、糸状のＸ線造影部材をガーゼ本体に挿入する場合と比較してガーゼ本体の剛性を抑制できるので、風合いを向上できる。
【図面の簡単な説明】
【図１】本発明のガーゼの一実施の形態の一部を拡大して示す平面図である。
【図２】本発明のガーゼの他の実施の形態の一部を拡大して示す平面図である。
【図３】本発明のガーゼのさらに他の実施の形態の一部を拡大して示す平面図である。
【図４】本発明のガーゼのさらに他の実施の形態を示す平面図である。
【符号の説明】
１    ガーゼ
２    経糸
３    緯糸
４    ガーゼ本体
５    Ｘ線造影部材としてのＸ線造影糸
【図１】
2004194994.tif 000003
【図２】
2004194994.tif 000004
【図３】
2004194994.tif 000005
【図４】
2004194994.tif 000006